(57)【特許請求の範囲】
【請求項１】
下部から上部に亘り同形、同サイズの内周面を備えた容器体（Ａ）と、容器体（Ａ）の底部に容器体（Ａ）に対して相対回動が可能に且つ外部からの操作が可能に設けるとともに、容器体（Ａ）内に螺軸（41）を立設した操作ハンドル（Ｃ）と、螺軸（41）に内周縁を螺着するとともに、外周縁を容器体（Ａ）内周面に嵌合した中皿（Ｅ）とを備え、容器体（Ａ）に対する操作ハンドル（Ｃ）の相対回動による螺軸（41）の回転で中皿（Ｅ）が上昇し、中皿（Ｅ）上方の収容液を押し上げる如く構成した容器であって、容器体（Ａ）と操作ハンドル（Ｃ）との間に回動規制手段を設け、該回動規制手段は、係止突部（13ｂ）を突設した上下揺動可能な一対の弾性係合片（13）と、係止突部（13ｂ）が乗り越え係合するとともに、等間隔に環状に配置された係合突部（42）とで構成され、一方の係止突部（13ｂ）が隣接する係合突部（42）の他端面側に係止されるとともに、他方の係止突部（13ｂ）が隣接する係合突部（42）の一端面側に係止されて安定状態を維持し、容器体（Ａ）と操作ハンドル（Ｃ）との相互の回動を所定方向に規制するとともに、他方の係止突部（13ｂ）が係合突部（42）を弾性圧接しつつ乗り越えた際に操作ハンドル（Ｃ）に所定方向と逆方向の押圧力が掛かる如く構成したことを特徴とする中皿の上昇機構を備えた容器。
【請求項２】
係止突部（13ｂ）の周方向一端面である乗越え面（f1）により、係合突部（42）の周方向他端面である被乗越え面（f3）の乗越えを可能に構成し、係止突部（13ｂ）の周方向他端面である押圧面（f4）又は他端面の係合突部側縁である押圧縁（16）により係合突部（42）の周方向一端面である被押圧面（f2）を押圧可能に構成した請求項１記載の中皿の上昇機構を備えた容器。
【請求項３】
乗越え面（f1）及び被乗越え面（f3）が緩傾斜面であり、押圧面（f4）が急傾斜面であり、押圧縁（16）が垂直面の係合突部側縁であり、被押圧面（f2）が急傾斜面である請求項２記載の中皿の上昇機構を備えた容器。
【請求項４】
係止突部（13ｂ）の周方向一端面である乗越え面（f1）により、係合突部（42）の周方向他端面である被乗越え面（f3）の乗越えが可能に構成し、係止突部（13ｂ）の周方向他端面である押圧面（f4）により係合突部（42）の周方向一端面の係止突部側縁である被押圧縁（43）を押圧可能に構成した請求項１記載の中皿の上昇機構を備えた容器。
【請求項５】
乗越え面（f1）及び被乗越え面（f3）が緩傾斜面であり、押圧面（f4）が急傾斜面であり、被押圧縁（43）が垂直面の係止突部側縁である請求項４記載の中皿の上昇機構を備えた容器。
【請求項６】
各弾性係合片（13）を、容器体周壁（10）下端部に穿設した切欠部（14）の周方向一端面より突設した揺動板部（13ａ）と、揺動板部（13ａ）の下面に垂設した係止突部（13ｂ）とで構成した請求項１乃至請求項５のいずれか１項に記載の中皿の上昇機構を備えた容器。
【請求項７】
各弾性係合片（13）は、揺動板部（13ａ）の先端より突設した連結部（13ｃ）の先端を切欠部（14）の周方向他端面に易切断部（15）を介して連結した請求項６記載の中皿の上昇機構を備えた容器。
【請求項８】
螺軸（41）の上端を容器体（Ａ）の上端に嵌着した中蓋（Ｂ）裏面に回動可能に嵌合させた請求項１乃至請求項７のいずれか１項に記載の中皿の上昇機構を備えた容器。
【発明の詳細な説明】
【技術分野】
【０００１】
本発明は中皿の上昇機構を備えた容器に関する。
【背景技術】
【０００２】
容器体内の中皿が上昇する上昇機構を備え、該上昇機構の操作で中皿を上昇させてその上方の収容液を上昇させる如く構成した容器が提案されている。（例えば、特許文献１参照）
【０００３】
特許文献１に記載された容器は、容器体外部から操作が可能な操作ハンドルと、容器体内に立設した操作ハンドルの螺軸に内周縁を螺着した中皿とを備え、操作ハンドルの回動で螺軸が回転し、中皿が上昇する如く構成したものである。容器体の内周縁が円形のものの場合には螺軸の回動とともに中皿も回動してしまう虞があり、収容物の円滑な注出が行われない虞がある。従って、螺合部分の摩擦力に抗する力が周縁部に働く如く構成しており、例えば、外周縁の摩擦力が摺動可能な範囲で螺合部分の摩擦力より大きく構成している。  
【先行技術文献】
【特許文献】
【０００４】
【特許文献１】特開２００８−２０６７２３号公報
【発明の概要】
【発明が解決しようとする課題】
【０００５】
この様な容器は、中皿上昇後の容器体内の残圧により、中皿停止後も余分な液が出てしまうという虞があった。
【０００６】
本発明は上記した点に鑑みてなされたもので、容器体内に嵌合させた中皿を上昇させる上昇機構を備えた容器であって、中皿停止後に余分な液が出てしまうという虞がなく、逆に注出口付近の液を若干容器体内に引き戻す効果があり、また、容器体に対して、操作ハンドルが逆戻りすることを防止した優れた容器を提案する。
【課題を解決するための手段】
【０００７】
第１の手段として、以下の通り構成した。即ち、下部から上部に亘り同形、同サイズの内周面を備えた容器体Ａと、容器体Ａの底部に容器体Ａに対して相対回動が可能に且つ外部からの操作が可能に設けるとともに、容器体Ａ内に螺軸41を立設した操作ハンドルＣと、螺軸41に内周縁を螺着するとともに、外周縁を容器体Ａ内周面に嵌合した中皿Ｅとを備え、容器体Ａに対する操作ハンドルＣの相対回動による螺軸41の回転で中皿Ｅが上昇し、中皿Ｅ上方の収容液を押し上げる如く構成した容器であって、容器体Ａと操作ハンドルＣとの間に回動規制手段を設け、該回動規制手段は、係止突部13ｂを突設した上下揺動可能な一対の弾性係合片13と、係止突部13ｂが乗り越え係合するとともに、等間隔に環状に配置された係合突部42とで構成され、一方の係止突部13ｂが隣接する係合突部42の他端面側に係止されるとともに、他方の係止突部13ｂが隣接する係合突部42の一端面側に係止されて安定状態を維持し、容器体Ａと操作ハンドルＣとの相互の回動を所定方向に規制するとともに、他方の係止突部13ｂが係合突部42を弾性圧接しつつ乗り越えた際に操作ハンドルＣに所定方向と逆方向の押圧力が掛かる如く構成した。
【０００８】
第２の手段として、以下の通り構成した。即ち、前記第１の手段に於いて、係止突部13ｂの周方向一端面である乗越え面f1により、係合突部42の周方向他端面である被乗越え面f3の乗越えを可能に構成し、係止突部13ｂの周方向他端面である押圧面f4又は他端面の係合突部側縁である押圧縁16により係合突部42の周方向一端面である被押圧面f2を押圧可能に構成した。
【０００９】
第３の手段として、以下の通り構成した。即ち、前記第２の手段に於いて、乗越え面f1及び被乗越え面f3が緩傾斜面であり、押圧面f4が急傾斜面であり、押圧縁16が垂直面の係合突部側縁であり、被押圧面f2が急傾斜面である。
【００１０】
第４の手段として、以下の通り構成した。即ち、前記第の１手段に於いて、係止突部13ｂの周方向一端面である乗越え面f1により、係合突部42の周方向他端面である被乗越え面f3の乗越えが可能に構成し、係止突部13ｂの周方向他端面である押圧面f4により係合突部42の周方向一端面の係止突部側縁である被押圧縁43を押圧可能に構成した。
【００１１】
第５の手段として、以下の通り構成した。即ち、前記第４の手段に於いて、乗越え面f1及び被乗越え面f3が緩傾斜面であり、押圧面f4が急傾斜面であり、被押圧縁43が垂直面の係止突部側縁である。
【００１２】
第６の手段として、以下の通り構成した。即ち、前記第１の手段乃至第５の手段のいずれかの手段に於いて、各弾性係合片13を、容器体周壁10下端部に穿設した切欠部14の周方向一端面より突設した揺動板部13ａと、揺動板部13ａの下面に垂設した係止突部13ｂとで構成した。
【００１３】
第７の手段として、以下の通り構成した。即ち、前記第６の手段に於いて、各弾性係合片13は、揺動板部13ａの先端より突設した連結部13ｃの先端を切欠部14の周方向他端面に易切断部15を介して連結した。
【００１４】
第８の手段として、以下の通り構成した。即ち、前記第１の手段乃至第７の手段のいずれかの手段に於いて、螺軸41の上端を容器体Ａの上端に嵌着した中蓋Ｂ裏面に回動可能に嵌合させた。
【発明の効果】
【００１５】
本発明によれば、容器体Ａと操作ハンドルＣとの間に特殊構成の回動規制手段を設けており、該回動規制手段は、容器体Ａと操作ハンドルＣとの相互の回動を所定方向に規制するため、操作ハンドルＣが容器体Ａに対して逆戻りすることを防止し、牽いては、一旦上昇した中皿Ｅを下降させることを防止することができる。
【００１６】
また、回動規制手段は、他方の係止突部13ｂが係合突部42を弾性圧接しつつ乗り越えた際に操作ハンドルＣに所定方向と逆方向の押圧力が掛かる如く構成したので係止突部13ｂが係合突部42を乗り越え係止させるごとにバックサクション効果を発揮することができるという利点も兼ね備えている。更に、他方の係止突部13ｂが隣接する係合突部42の一端面側に係止されて安定状態を維持するため、バックサクション効果を発揮した後、容器体Ａと操作ハンドルＣとが安定状態となり、両者が回動方向にガタツク等の不都合を確実に防止できる。
【００１７】
係止突部13ｂの周方向一端面である乗越え面f1により、係合突部42の周方向他端面である被乗越え面f3の乗越えを可能に構成し、係止突部13ｂの周方向他端面である押圧面f4又は他端面の係合突部側縁である押圧縁16により係合突部42の周方向一端面である被押圧面f2を押圧可能に構成した場合には、上記バックサクション効果を発揮するとともに、構造が簡単で製造も容易となる利点がある。
【００１８】
乗越え面f1及び被乗越え面f3が緩傾斜面であり、押圧面f4が急傾斜面であり、押圧縁16が垂直面の係合突部側縁であり、被押圧面f2が急傾斜面である場合には、垂直面の存在で逆回転の防止をより効果的に行うことができ、また、この場合も構造が簡単で効率の良いバックサクション効果を発揮する。
【００１９】
係止突部13ｂの周方向一端面である乗越え面f1により、係合突部42の周方向他端面である被乗越え面f3の乗越えが可能に構成し、係止突部13ｂの周方向他端面である押圧面f4により係合突部42の周方向一端面の係止突部側縁である被押圧縁43を押圧可能に構成した場合には、同様に上記バックサクション効果を発揮するとともに、構造が簡単で、製造も容易となる利点がある。
【００２０】
乗越え面f1及び被乗越え面f3が緩傾斜面であり、押圧面f4が急傾斜面であり、被押圧縁43が垂直面の係止突部側縁である場合には、上記と同様に垂直面の存在で逆回転の防止をより効果的に行えることができ、また、上記同様に構造が簡単で効率の良いバックサクション効果を発揮する。
【００２１】
各弾性係合片13を、容器体周壁10下端部に穿設した切欠部14の周方向一端面より突設した揺動板部13ａと、揺動板部13ａの下面に垂設した係止突部13ｂとで構成した場合には、弾性係合片13を切欠部14内に保護できるため、容器体下面より下方へ突出している場合等と比較して組み付け前に弾性係合片13が損傷する等の不都合を防止できるという利点がある。
【００２２】
各弾性係合片13は、揺動板部13ａの先端より突設した連結部13ｃの先端を切欠部14の周方向他端面に易切断部15を介して連結した場合には、弾性係合片13が容器体周壁10内に組み入れられているため、組み付け前或いは開封前等に弾性係合片13がブラブラして損傷する等の不都合をより確実に防止できる。
【００２３】
螺軸41の上端を容器体Ａの上端に嵌着した中蓋Ｂ裏面に回動可能に嵌合させた場合には、螺軸41の回転のブレをなくしこの点からも円滑な中皿Ｅの上昇が可能となり、また、螺軸と中皿Ｅとの螺合部分のシール性をより確実に行える利点もある。
【図面の簡単な説明】
【００２４】
【図１】容器の縦断面図である。（実施例１）
【図２】中皿の縦断面図である。（実施例１）
【図３】図２のｘ−ｘ線に沿う横断面図である。（実施例１）
【図４】回動規制手段を説明する要部拡大断面図である。（実施例１）
【図５】回動規制手段を説明する説明図である。（実施例１）
【図６】回動規制手段を説明する説明図である。（実施例１）
【図７】回動規制手段を説明する要部拡大断面図である。（実施例２）
【図８】回動規制手段を説明する要部拡大断面図である。（実施例３）
【図９】容器の縦断面図である。（実施例４）
【図１０】容器の縦断面図である。（実施例５）
【発明を実施するための形態】
【００２５】
以下、本発明の形態を図面を参照して説明する。
【００２６】
図１は中皿の上昇機構を備えた容器（以下、単に容器という）の一例を示し、図中１は容器を示す。容器１は、容器体Ａと、中蓋Ｂと、操作ハンドルＣと、螺軸部材Ｄと、中皿Ｅと、キャップＦとを備えている。
【００２７】
容器体Ａは、円筒形の周壁10の上端部に、それぞれ円筒形をなす下段11ａ，中段11ｂ，上段11ｃの三段に順次縮径した口頸部11を起立している。中段11ｂの外周には螺条を、上段11ｃの外周には係止突条をそれぞれ突設している。また、容器体周壁10の下端外周に、操作ハンドルＣを回動可能に嵌合させるための環状凹部12を形成し、環状凹部12内の容器体周壁10上部には係止突条を突周設している。
【００２８】
中蓋Ｂは、口頸部11の外周上端部に、突条相互の乗り越え係合による抜け出しを防止して、嵌合筒20を嵌合させ、嵌合筒20上端縁より延設した頂板21により口頸部11の上端開口を閉塞している。頂板21の裏面中央より筒部22を垂設し、筒部22の外周上端部には周方向複数の係止リブ23を突設し、更に、各係止リブ23上方の頂板21に複数の注出口24を穿設している。また、頂板21の下面から垂設したシール筒を口頸部11の上段11ｃ内周に液密に嵌合させている。
【００２９】
操作ハンドルＣは、容器体Ａの環状凹部12に、容器体周壁10との相互の回動が可能に且つ突条相互の乗り越え係合による下方への抜け出しを図って、嵌合させた回動筒部30を備え、回動筒部30の下端より延設した底板31の上面より螺軸部材Ｄを固定するための固定筒32を起立している。固定筒32の外周には、周方向多数の縦リブを縦設している。
【００３０】
螺軸部材Ｄは、操作ハンドルＣに嵌着した嵌着基部40より螺軸41を起立している。螺軸41の外周には螺条を周設している。嵌着基部40は、操作ハンドルＣの固定筒32外周に嵌合させた周壁部40ａを備えている。周壁部40ａは、内周面に周方向多数縦設した縦リブを固定筒32外周に周方向多数縦設した縦リブと係合させることで相互の回動を防止して嵌合させている。また、周壁部40ａの下端縁より外方へ延設したフランジ部40ｂの外周縁を回動筒部30の内周下端部に上方への抜け出しを防止して嵌着している。抜け出し防止は回動筒部30の内周に突設した突条下面に周縁部を乗り越え係合させること行っている。また、周壁部40ａの上端より延設したフランジ状の頂壁部40ｃの内周縁より螺軸41を起立しており、その上端を中蓋Ｂの筒部22外周に回動可能に嵌合させている。
【００３１】
中皿Ｅは、図２又は図３に単独で示す如く、内周壁50と外周壁51とを、頂壁52で連結した形態を採っており、頂壁52は内周壁50の上端縁より傾斜上昇した後湾曲下降して外周縁を外周壁51上端縁と連結している。また、頂壁52を下方に凹ませた凹部を、平面視十字形状に凹設している。内周壁50の内面には螺軸41外周の螺条と螺合する螺条を周設している。尚、螺合部分は充分な液密性を持って螺合させている。また、内周壁50と外周壁51との間には支持板53を掛け渡しており、支持板53は周方向複数掛け渡している。
【００３２】
外周壁51の下部は大径部51ａに形成しており、大径部51ａの上端部に環状のシール突部54を突設している。また、シール突部54の下方の大径部51ａに回動防止用突部55を突設している。回動防止用突部55は、図３に示す如く、回動してしまうであろう所定方向に向かって傾倒して突設した、即ち、所定方向に湾曲或いは傾斜突設した横断面形状をなしており、対向する位置に一対設けている。尚、回動してしまうであろう所定方向とは、螺軸41の回転により仮に螺軸41と一緒に廻ってしまうであろう方向を示す。また、回動防止用突部55は対向する位置に一対設けているが、これに限らず、１箇所であっても複数個所であっても良いが、中皿Ｅの円滑な作動を考慮すれば周方向等間隔に複数設けることが好ましい。
【００３３】
更に、回動防止用突部55下方の大径部51ａ下端部には、中皿Ｅの上昇をより安定したものとするための安定上昇用突部56を突周設している。中皿Ｅは、図１に示す如く、内周を螺軸41外周に螺着させ、外周のシール突部54、回動防止用突部55及び安定上昇用突部56をそれぞれ周壁10内周に密嵌させて装着するが、シール突部54は主として液密性の付与に関与し、回動防止用突部55は主として相互の回動防止に寄与し、安定上昇用突部56は主として上昇時のガタツキ防止に寄与する。
【００３４】
キャップＦは、口頸部11の中段11ｂに螺合した周壁の上端より頂壁を延設した伏皿状をなし、容器体Ａに対して着脱可能に装着している。
【００３５】
本発明では、容器体Ａと操作ハンドルＣとの間に回動規制手段を設けている。回動規制手段は、係止突部を突設した上下揺動可能な一対の弾性係合片と、係止突部と相互に乗り越え係合するとともに、等間隔に環状に配置された係合突部とで構成される。そして、容器体Ａと操作ハンドルＣとの相互の回動を所定方向に規制している。また、一方の係止突部が隣接する係合突部の他端面側に係止されるとともに、他方の係止突部が隣接する係合突部の一端面側に係止されて安定状態を維持し、容器体Ａと操作ハンドルＣとの相互の回動を所定方向に規制するとともに、他方の係止突部が係合突部を弾性圧接しつつ乗り越えた際に操作ハンドルＣに所定方向と逆方向の押圧力が掛かる如く構成している。尚、ここでいう所定方向とは、中皿Ｅを上昇させるための相互の回転方向を言い、例えば、容器体Ａを平面視時計廻りに、操作ハンドルＣを平面視反時計廻りに相互回すことで中皿Ｅが上昇する場合には、互いのその方向を所定方向という。
【００３６】
本例に於ける弾性係合片13は、図４に拡大図で示す如く、容器体周壁10下端部の所定位置に設けた切欠部14内に上下揺動可能に突設している。弾性係合片13は、切欠部14の周方向一端面に上下揺動可能に突設した揺動板部13ａと、揺動板部13ａの先端部より垂設した係止突部13ｂと、揺動板部13ａの先端より突設して先端を切欠部14の周方向他端面に易切断部15を介して連結した連結部13ｃとで構成している。
【００３７】
係止突部13ｂは周方向一端面を緩傾斜面に、他端面を垂直面に形成しており、緩傾斜面を乗越え面f1に、垂直面の係合突部側縁を押圧縁16として構成している。
【００３８】
係合突部42は、螺軸部材Ｄのフランジ部40ｂの上面に周方向等間隔に突設しており、各係合突部42は、周方向一端面を急傾斜面に、周方向他端面の緩傾斜面に形成しており、急傾斜面を被押圧面f2に、緩傾斜面を被乗越え面f3にそれぞれ構成している。
【００３９】
また、一方の係止突部13ｂと他方の係止突部13ｂとが略対向する位置に設けられ、図５に展開図で示す如く、一方の係止突部13ｂ（図の左方）が隣接する係合突部42の他端面側に係止されるとともに、他方の係止突部13ｂ（図の右方）が隣接する係合突部42の一端面側に係止されて安定状態を維持する。換言すれば、一方の係止突部13ｂの乗越え面f1が隣接する係止突部13ｂの被乗越え面f3に当接し、他方の係止突部13ｂの押圧縁16が隣接する係止突部13ｂの被押圧面f2下端縁に係止されており、安定状態を維持している。
【００４０】
上記の如く構成した容器１は、図１の状態からキャップＦを外し、容器体Ａに対して操作ハンドルＣを相対回動させると、操作ハンドルＣと一体に螺軸部材Ｄが回動し牽いては螺軸41が一体に回転し、それに伴って中皿Ｅが上昇し、中皿Ｅ上方の容器体Ａ内に収容された液が注出口24より押し出されて使用が可能となる。螺軸41の回動による中皿Ｅの上昇の際には、回動防止用突部55の存在により中皿Ｅが螺軸41と一緒に回転してしまい上昇しないという不都合を確実に防止する。
【００４１】
容器体Ａに対して操作ハンドルＣを相対回動させる際には当初易切断部15により各弾性係合片13は固定されているが、相対回動により先ず一方（図の左方）の係止突部13ｂの乗越え面f1が係合突部42の被乗越え面f3上を摺動上昇して易切断部15が破断し、それに遅れて他方（図の右方）の係止突部13ｂの乗越え面f1が係止突部13ｂの被乗越え面f3に当接した後同様に摺動上昇し、次いで図６に示す如く、一方の係止突部13ｂ（図の左方）が係合突部42を弾性圧接しつつ乗越えた後、他方の係止突部13ｂ（図の右方）は係合突部42の上面に位置し、次いで、一方の係止突部13ｂ（図の左方）の乗越え面f1がその左方の係合突部42の被乗越え面f3と当接した状態でも他方の係止突部13ｂ（図の右方）が係合突部42の上面に端部が存在し、その後、押圧縁16が被押圧面f2を摺動下降する際に被押圧面f2を押圧し、その際一方の係止突部13ｂ（図の左方）により当接する係合突部42が逆方向の力を受け、それに伴って中皿Ｅが僅かに下降しバックサクション効果を発揮する。
【００４２】
尚、係止突部13ｂと係合突部42の形態としては、上記例に限らず、例えば図７に示す如く係止突部13ｂの周方向一端面を緩傾斜面に、他端面を急傾斜面に形成し、緩傾斜面を乗越え面f1に、急傾斜面を被押圧面f2を摺動押圧する押圧面f4として構成してもよい。また、図８に示す如く、係止突部13ｂの周方向一端面を緩傾斜面に、他端面を急傾斜面に形成し、緩傾斜面を乗越え面f1に、急傾斜面を押圧面f4として構成し、加えて、係合突部42の周方向一端面を垂直面に、周方向他端面の緩傾斜面に形成し、垂直面の上縁を被押圧縁43に、緩傾斜面を被乗越え面f3にそれぞれ構成しても良い。これらの例の場合、その他の構成は図１の例と同様である。                          
【００４３】
図９は他の例を示し、図１の例に於いて、中蓋Ｂの上に塗布体Ｇを設けた例を示す。中蓋Ｂの構成は基本的には図１の例と類似し、本例では頂板21の上面周縁部から支持筒部25を起立し、また、筒部22を頂板21を貫通して支持筒部25上方位置まで上端を突出させ、更に筒部22の外周にリブ26を介して筒27を立設している。また、塗布体Ｇは、合成樹脂発泡体等の多孔性物質で構成された中空円柱状の塗布部70を備え、塗布部70内周を筒27の外周に嵌着させ、また、塗布部70の外周に嵌着したフランジより嵌合筒を垂設した固定枠71を、その嵌合筒を支持筒部25外周に抜け出しを防止して嵌着している。キャップＦは塗布体Ｇの形状に合わせて塗布体Ｇが収納可能な形状をなし容器体Ａに対して着脱可能に設けている。その他の構成は図１の例と同様であるため説明を省略する。
【００４４】
この場合には容器体Ａ内の液を塗布体Ｇの塗布部70を介して塗布することができる。
【００４５】
図10は更に他の例を示し、図１の例に於いて、中蓋Ｂの上に塗布液の引き延ばし用のヘラを設けた例を示す。中蓋Ｂの構成は基本的には図１の例と類似し、本例では筒部22を頂板21を貫通してその上方まで起立させ、その外周に支持筒部25を起立し、支持筒部25と筒部22とはリブ26で連結している。また、支持筒部25外周にヘラ部材Ｈを嵌着している。ヘラ部材Ｈは、支持筒部25外周に嵌着させた嵌着筒部の上端に、先端が斜めに傾斜した板状のヘラ部80を延設し、ヘラ部80に注出口81を開口している。そして、容器体Ａ内から支持筒部25と筒部22との間をとおり、注出口81に連通する如く構成している。また、キャップＦの頂壁52裏面から注出口81に嵌合する棒栓60垂設している。その他の構成は図１の例と同様であるため、説明を省略する。
【００４６】
上記各例にある如く、容器の吐出部の形態は種々採用でき、これらに限られるものではない。また、上記各部材の材質は特に限定はないが、材質としては合成樹脂等が好ましく採用できる。
【符号の説明】
【００４７】
１…中皿の上昇機構を備えた容器
Ａ…容器体
10…周壁、11…口頸部、11a …下段、11b …中段、11c …上段、12…環状凹部、
13…弾性係合片、13ａ…揺動板部、13ｂ…係止突部、f1…乗越え面、f4…押圧面、
13ｃ…連結部、14…切欠部、15…易切断部、16…押圧縁
Ｂ…中蓋
20…嵌合筒、21…頂板、22…筒部、23…係止リブ、24…注出口、25…支持筒部、
26…リブ、27…筒
Ｃ…操作ハンドル
30…回動筒部、31…底板、32…固定筒
Ｄ…螺軸部材
40…嵌着基部、40a …周壁部、40b …フランジ部、40c …頂壁部、41…螺軸、
42…係合突部、f2…被押圧面、f3…被乗越え面、43…被押圧縁
Ｅ…中皿
50…内周壁、51…外周壁、51a …大径部、52…頂壁、53…支持板、54…シール突部、
55…回動防止用突部、56…安定上昇用突部
Ｆ…キャップ
60…棒栓
Ｇ…塗布体
70…塗布部、71…固定枠
Ｈ…ヘラ部材
80…ヘラ部、81…注出口
【図１】
0005688732.tif 000002
【図２】
0005688732.tif 000003
【図３】
0005688732.tif 000004
【図４】
0005688732.tif 000005
【図５】
0005688732.tif 000006
【図６】
0005688732.tif 000007
【図７】
0005688732.tif 000008
【図８】
0005688732.tif 000009
【図９】
0005688732.tif 000010
【図１０】
0005688732.tif 000011